(57)【要約】【課題】携帯性を維持しつつ、通信装置の通信可能範囲を拡大することができる収納部材を提供すること。【解決手段】第１アンテナ素子および前記第１アンテナ素子により送信または受信される信号を処理する信号処理回路部を有する通信装置１０１を収納する収納部材１であって、部材本体１０と、部材本体１０に設けられ、通信装置１０１の前記第１アンテナ素子が連結可能に構成される連結部１１と、部材本体１０に設けられ、連結部１１に連結された前記第１アンテナ素子に電気的に接続される第２アンテナ素子２１と、を有する。【選択図】図２
2010199963.tif 000002
【特許請求の範囲】
【請求項１】
第１アンテナ素子および前記第１アンテナ素子により送信または受信される信号を処理する信号処理回路部を有する通信装置を収納する収納部材であって、
部材本体と、
前記部材本体に設けられ、前記通信装置の前記第１アンテナ素子が連結可能に構成される連結部と、
前記部材本体に設けられ、前記連結部に連結された前記第１アンテナ素子に電気的に接続される第２アンテナ素子と、
を有することを特徴とする収納部材。
【請求項２】
前記部材本体は、開状態と閉状態との間を移動可能に構成された第１本体と第２本体とを有し、
前記第２アンテナ素子は、前記第１本体および前記第２本体に跨って設けられることを特徴とする請求項１に記載の収納部材。
【請求項３】
前記第１本体および前記第２本体のいずれか一方は、前記連結部を有し、
前記第１本体および前記第２本体のいずれか他方は、前記連結部に係合する係合部を有することを特徴とする請求項２に記載の収納部材。
【請求項４】
前記第１本体および前記第２本体は、前記閉状態において前記通信装置を収納することを特徴とする請求項３に記載の収納部材。
【請求項５】
前記第１アンテナ素子および前記連結部のいずれか一方は、突出部を有し、
前記第１アンテナ素子および前記連結部のいずれか他方は、前記突出部を回転軸として前記第１アンテナ素子および前記連結部のいずれか一方が回転可能に、前記突出部が嵌合する凹部または孔部を有することを特徴とする請求項１乃至４のいずれか一項に記載の収納部材。
【請求項６】
第１アンテナ素子および前記第１アンテナ素子により送信または受信される信号を処理する信号処理回路部を有する通信装置と、
部材本体と、前記部材本体に設けられ、前記通信装置の前記第１アンテナ素子が連結可能に構成される連結部と、前記部材本体に設けられ、前記連結部に連結された前記第１アンテナ素子に電気的に接続される第２アンテナ素子と、を有し、前記通信装置を収納する収納部材と、
を備えることを特徴とする通信装置セット。
【発明の詳細な説明】
【技術分野】
【０００１】
本発明は、アンテナを有する通信装置を収納する収納部材及び通信装置セットに関する。
【背景技術】
【０００２】
通信装置の一種であるＰＣカードは、ＰＣ（ｐｅｒｓｏｎａｌ  ｃｏｍｐｕｔｅｒ）等のカードスロットに挿入されて使用される。ＰＣカードにおける無線アンテナは、無線通信に利用されるが、ＰＣカードの使用時にＰＣから発生するノイズの影響を受けにくくするため、ＰＣのカードスロットからできるだけ離す必要がある。その一方で、特にノート型のＰＣに装着されるＰＣカードの場合には、ＰＣカードの無線アンテナは、持ち運びに邪魔にならないようにコンパクトに構成される必要もある。
【０００３】
そこで、ＰＣカードとは別体の外部アンテナ（第２アンテナ素子）を、ケーブルなどを介してＰＣカードに連結すると共に、外部アンテナをノート型のＰＣのディスプレイの周辺に取り付けることが行われている（例えば、下記特許文献１参照）。このように外部アンテナを用いることにより、通信装置のコンパクト性を確保しつつ、ＰＣから発生するノイズの影響を受けにくくして、送受信の感度を上げることができ、通信可能範囲を拡大することができる。
【先行技術文献】
【特許文献】
【０００４】
【特許文献１】特開２００５−２２３４７６号公報
【発明の概要】
【発明が解決しようとする課題】
【０００５】
しかし、第２アンテナ素子を用いる場合、通信装置とは別にアンテナ素子を用意することになり、携帯性に欠けるなどの問題点がある。
【０００６】
本発明は、携帯性を維持しつつ、通信装置の通信可能範囲を拡大することができる収納部材及び通信装置セットを提供することを目的とする。
【課題を解決するための手段】
【０００７】
本発明は、第１アンテナ素子および前記第１アンテナ素子により送信または受信される信号を処理する信号処理回路部を有する通信装置を収納する収納部材であって、部材本体と、前記部材本体に設けられ、前記通信装置の前記第１アンテナ素子が連結可能に構成される連結部と、前記部材本体に設けられ、前記連結部に連結された前記第１アンテナ素子に電気的に接続される第２アンテナ素子と、を有することを特徴とする収納部材に関する。
【０００８】
また、前記部材本体は、開状態と閉状態との間を移動可能に構成された第１本体と第２本体とを有し、前記第２アンテナ素子は、前記第１本体および前記第２本体に跨って設けられることが好ましい。
【０００９】
また、前記第１本体および前記第２本体のいずれか一方は、前記連結部を有し、前記第１本体および前記第２本体のいずれか他方は、前記連結部に係合する係合部を有することが好ましい。
【００１０】
また、前記第１本体および前記第２本体は、前記閉状態において前記通信装置を収納することが好ましい。
【００１１】
また、前記第１アンテナ素子および前記連結部のいずれか一方は、突出部を有し、前記第１アンテナ素子および前記連結部のいずれか他方は、前記突出部を回転軸として前記第１アンテナ素子および前記連結部のいずれか一方が回転可能に、前記突出部が嵌合する凹部または孔部を有することが好ましい。
【００１２】
本発明は、第１アンテナ素子および前記第１アンテナ素子により送信または受信される信号を処理する信号処理回路部を有する通信装置と、部材本体と、前記部材本体に設けられ、前記通信装置の前記第１アンテナ素子が連結可能に構成される連結部と、前記部材本体に設けられ、前記連結部に連結された前記第１アンテナ素子に電気的に接続される第２アンテナ素子と、を有し、前記通信装置を収納する収納部材と、を備えることを特徴とする通信装置セットに関する。
【発明の効果】
【００１３】
本発明によれば、携帯性を維持しつつ、通信装置の通信可能範囲を拡大することができる収納部材及び通信装置セットを提供することができる。
【図面の簡単な説明】
【００１４】
【図１】ＰＣ１５１が通信装置１０１及び収納部材１を介してネットワーク２０２に接続される様子を示す図である。
【図２】収納部材１と通信装置１０１との連結状態を示す斜視図である。
【図３】通信装置１０１を収納した収納部材１を示す斜視図である。
【図４】アンテナ台１１３を起立させた状態の通信装置１０１を示す斜視図である。
【図５】アンテナ台１１３を倒した状態の通信装置１０１を模式的に示す斜視図である。
【図６】通信装置１０１の分解斜視図である。
【図７】アンテナ台１１３の周辺部分を示す斜視図である。
【図８】アンテナ台１１３の角度調整の態様を示す側面図である。
【図９】アンテナ台１１３の内部を示す断面図である。
【図１０】収納部材１を示す分解斜視図である。
【図１１】収納部材１のヒンジ部４の近傍を示す分解斜視図である。
【図１２】（Ａ）は、閉じる直前の状態の収納部材１を示す斜視図であり、（Ｂ）は、閉状態の収納部材１を示す斜視図である。
【図１３】連結リング部材１１と係合部２９とが係合した状態を示す断面図である。
【図１４】通信装置１０１と収納部材１とが連結した状態を示す部分斜視図である。
【図１５】通信装置１０１と収納部材１とが連結した状態を示す部分断面図である。
【図１６】収納部材１を通信装置１０１から外した状態を示す部分斜視図である。
【図１７】（Ａ）〜（Ｃ）は、通信装置１０１と収納部材１との高さ調整を説明する側面図である。
【図１８】（Ａ）及び（Ｂ）は、収納側アンテナの変形例を示す図である。
【発明を実施するための形態】
【００１５】
以下、本発明の収納装置の一実施形態について詳細に説明する。図１は、ＰＣ１５１が通信装置１０１及び収納部材１を介してネットワーク２０２に接続される様子を示す図である。図２は、収納部材１と通信装置１０１との連結状態を示す斜視図である。図３は、通信装置１０１を収納した収納部材１を示す斜視図である。
【００１６】
図１及び図２に示すように、本実施形態の収納部材１は、通信装置１０１に着脱自在に連結可能に構成され、通信装置１０１の外部アンテナとして機能する。図２及び図３に示すように、収納部材１は、部材本体１０を有する。部材本体１０は、第１本体である第１ケース体２と第２本体である第２ケース体３とが、ヒンジ部４により開閉自在に連結されて構成される。つまり、第１ケース体２と第２ケース体３とは、開状態と閉状態との間を移動可能に構成される。収納部材１は、部材本体１０を主体として、通信装置１０１の収納ケースを構成する。図３に示すように、収納部材１は、閉状態において、その内部に通信装置１０１を収納することができる。収納部材１の構成の詳細、及び収納部材１と通信装置１０１との連結に係る構成などについては後で詳述する。
【００１７】
まず、通信装置１０１について説明する。
図１に示すように、通信装置１０１は、例えばＰＣ（Ｐｅｒｓｏｎａｌ  Ｃｏｍｐｕｔｅｒ）１５１のカードスロット１５２に挿入されることによりＰＣ１５１に接続される。また、通信装置１０１は、ＰＣ１５１の所定の通信規格（例えば、ＵＳＢ）に準拠したインターフェース１５３にアダプタ１５４を介して接続される。このようにして、通信装置１０１は、ＰＣ１５１による基地局２０１を介したネットワーク２０２（例えば、インターネット）への接続に利用される。
【００１８】
図４は、アンテナ台１１３を起立させた状態の通信装置１０１を示す斜視図である。図５は、アンテナ台１１３を倒した状態の通信装置１０１を模式的に示す斜視図である。図６は、通信装置１０１の分解斜視図である。図７は、アンテナ台１１３の内部を示す断面図である。図８は、アンテナ台１１３の周辺部分を示す斜視図である。図９は、アンテナ台１１３の角度調整の態様を示す側面図である。
【００１９】
図４から図７に示すように、通信装置１０１は、装置本体１１１と、アンテナ台１１３と、収納凹部１１４と、保持部１１５と、本体基板１１７と、を備える。
装置本体１１１は、その一方端側の端面に、所定の規格に準拠したインターフェース１１１Ｂと、インターフェース１１１Ｂを露出するための開口部１１１Ａと、を備える。また、装置本体１１１は、開口部１１１Ａ側の挿入部１１１Ｃと、その反対側の膨出部１１１Ｄとを備える。挿入部１１１Ｃは、カードスロット１５２などに挿入可能な厚さの直方体形状であり、カードスロット１５２などに挿入される部位である。膨出部１１１Ｄは、挿入部１１１Ｃに対して厚さ方向に膨らんだ部位であり、挿入部１１１Ｃをカードスロット１５２などに挿入した際のストッパーとしても機能する。膨出部１１１Ｄには、アンテナ台１１３などが設けられる。
【００２０】
また、通信装置１０１の挿入部１１１ＣがＰＣ１５１のカードスロット１５２に挿入された場合に又はアダプタ１５４に接続された場合に、インターフェース１１１Ｂは、カードスロット１５２の内部のインターフェース又はアダプタ１５４の内部のインターフェースに電気的に接続されて、データの通信が可能となる。
【００２１】
アンテナ台１１３は、第１の共振周波数を有する第１アンテナ素子の一部を構成するメインアンテナ１１２を備えている。メインアンテナ１１２は、ＣＤＭＡ（ｃｏｄｅ  ｄｉｖｉｓｉｏｎ  ｍｕｌｔｉｐｌｅ  ａｃｃｅｓｓ）方式による通信に利用される第１の共振周波数を有している。第１の共振周波数には、８００ＭＨｚ、９００ＭＨｚ、１．９ＧＨｚ及び２．１ＧＨｚが該当する。
収納凹部１１４は、装置本体１１１の膨出部１１１Ｄの厚さ方向上側が切り欠かれることにより形成され、アンテナ台１１３を収納することができる。
【００２２】
保持部１１５は、アンテナ台１１３と一体となっており、アンテナ台１１３を装置本体１１１に２軸ヒンジ機構により取り付けて保持する。そのため、通信装置１０１においては、装置本体１１１に対してアンテナ台１１３（メインアンテナ１１２）を３次元的に所定の角度になるように調整でき、受信感度の良い位置に設定することができる。
また、図８に示すように、保持部１１５によれば、アンテナ台１１３を装置本体１１１の厚さ方向に所定の角度になるように調整することができる。この構成により、通信装置１０１と収納部材１との高さ方向の位置調整（後述）が容易となる。
【００２３】
本体基板１１７は、装置本体１１１に内蔵されており、本体基板１１７の表面に、第２の共振周波数を有する第３アンテナ素子１１６（以下「サブアンテナ１１６」という。）が配置されている。サブアンテナ１１６は、本体基板１１７の表面における、装置本体１１１の他方端側（開口部１１１Ａとは反対側）に配置されている。
【００２４】
サブアンテナ１１６は、ＣＤＭＡ（ｃｏｄｅ  ｄｉｖｉｓｉｏｎ  ｍｕｌｔｉｐｌｅ  ａｃｃｅｓｓ）方式による通信に利用される第２の共振周波数の他に、ＧＰＳ（ｇｌｏｂａｌ  ｐｏｓｉｔｉｏｎｉｎｇ  ｓｙｓｔｅｍ）による測位通信に利用される第３の共振周波数を有している。
本体基板１１７には、メインアンテナ１１２、サブアンテナ１１６等から、送信又は受信される信号を処理する信号処理回路部（図示せず）が形成されている。
【００２５】
図６に示すように、本体基板１１７は、厚さ方向から板金部材１３１、１３２によって挟まれている。板金部材１３１、１３２は、通信装置１０１がＰＣ１５１のカードスロット１５２に挿入されたときに、カードスロット１５２の内側に設けられている板金部材（図示せず）に当接される。このように当接されることにより、通信装置１０１に帯電している静電気をＰＣ１５１側に流すことができ、静電対策を図ることができる構造になっている。
【００２６】
図９に示すように、アンテナ台１１３は、その内部に、台基板１２１と、台基板１２１に形成されたメインアンテナ１１２とを備えている。メインアンテナ１１２は、屈曲を繰り返すクランク形状に形成されており（図５参照）、隣接する屈曲部同士が静電容量結合するようになっていることが好ましい。メインアンテナ１１２は、所定個所における隣接する屈曲部同士が静電容量結合し、実質的にコンデンサを形成する。
【００２７】
図７及び図９に示すように、アンテナ台１１３は突出部１４０を備える。突出部１４０は、アンテナ台１１３の外面から突出しており、後述する収納部材１に形成された連結リング部材（連結部）１１の孔部に嵌合可能となっている。
【００２８】
図９に示すように、突出部１４０は、アンテナ台１１３から突出するようにアンテナ台１１３に一体形成された軸部１４２と、軸部１４２に配置された接続端子１４１とを備えている。接続端子１４１は、一体的に形成された内部端子部１４５及び外部端子部１４７から構成される。内部端子部１４５は、メインアンテナ１１２に接触して電気的に接続されている。外部端子部１４７は、その外面が軸部１４２から露出するように、軸部１４２に配置されている。外部端子部１４７は、通信装置１０１と収納部材１とが連結された状態において連結リング部材１１に接触して、電気的に接続される。メインアンテナ１１２と接続端子１４１とから、本発明における第１アンテナ素子が形成される。
【００２９】
次に、収納部材１について説明する。図１０は、収納部材１を示す分解斜視図である。図１１は、収納部材１のヒンジ部４の近傍を示す分解斜視図である。図１２（Ａ）は、閉じる直前の状態の収納部材１を示す斜視図であり、図１２（Ｂ）は、閉状態の収納部材１を示す斜視図である。図１３は、連結リング部材１１と係合部２９とが係合した状態を示す断面図である。
【００３０】
図１０に示すように、収納部材１においては、部材本体１０は、縦長の第１ケース体２及び縦長の第２ケース体３を主体として略直方体形状に形成される。部材本体１０の内部には、通信装置１０１を収納するための収納空間が形成される。すなわち、第１ケース体２及び第２ケース体３は、閉状態となることにより、略直方体形状の通信装置１０１の外形に対応した略直方体形状の収納空間を形成する。そして、この収納空間に、通信装置１０１が収納される（図３参照）。
【００３１】
収納部材１の説明では、第１ケース体２と第２ケース体３とを閉じた状態において、部材本体１０の長手方向におけるヒンジ部４とは反対側を「前側」といい、ヒンジ部４側を「後ろ側」という。また、第１ケース体２側を「下側」といい、第２ケース体３側を「上側」という。また、これらの前側、後ろ側、下側及び上側に基づいて、「左側」及び「右側」も定まる。
【００３２】
図１０から図１２に示すように、第１ケース体２は、底板部５１と、左側壁部５２と、右側壁部５３と、後壁部５４と、天板部５５とを備える。底板部５１は、第１ケース体２の下側に位置し、第１ケース体２の底部のほぼ全域を形成する。左側壁部５２は、底板部５１の左側端縁から上側に起立するように延びる。右側壁部５３は、底板部５１の右側端縁から上側に起立するように延びる。後壁部５４は、底板部５１の後端縁から上側に起立するように延びる。天板部５５は、第１ケース体２の上側における後ろ側の領域のみに位置する。天板部５５は、左側壁部５２、右側壁部５３及び後壁部５４と連続している。
【００３３】
第２ケース体３は、天板部６１と、左側壁部６２と、右側壁部６３と、前壁部６４とを備える。天板部６１は、第２ケース体３の上側に位置し、第２ケース体３の天部のほぼ全域を形成する。天板部６１は、その後ろ側の部分を形成する後側天板部６１Ａと、その前側の部分を形成する前側天板部６１Ｂとからなる。前側天板部６１Ｂは、後側天板部６１Ａよりも上側に膨らんでいる。前側天板部６１Ｂの膨らみは、装置本体１１１の膨出部１１１Ｄに対応して設けられており、そのため、部材本体１０に形成される前記収納空間は、通信装置１０１の外形形状とほぼ一致する。
【００３４】
左側壁部６２は、天板部６１の左側端縁から下側に垂れるように延びる。右側壁部６３は、天板部６１の右側端縁から下側に垂れるように延びる。前壁部６４は、天板部６１の前端縁から下側に垂れるように延びる。
天板部６１は、第２ケース体３の上側における後ろ側の領域（以下「逃げ部６５」ともいう）には存在しない。逃げ部６５は、第１ケース体２の天板部５５とほぼ同じ大きさを有している。図１２（Ｂ）に示すように、第１ケース体２と第２ケース体３とを閉じた状態において、逃げ部６５には第１ケース体２の天板部５５が位置し、第１ケース体２の天板部５５と第２ケース体３の天板部６１の後側天板部６１Ａが面一（ツライチ）となる。
【００３５】
図１１に示すように、ヒンジ部４は、ヒンジ軸部４１と、ヒンジ孔部４２と、第１ノッチ部４３と、第２ノッチ部４４と、を備える。ヒンジ軸部４１は、第２ケース体３の左側壁部６２の内側（右側）から内側に突出する軸部である。ヒンジ孔部４２は、第１ケース体２の左側壁部５２及び第１接続導体２５（後述）を共に貫通する孔部である。第１ノッチ部４３は、第１ケース体２の左側壁部５２の外側（左側）に設けられる。第１ノッチ部４３は、ヒンジ孔部４２を中心として円弧状に延びている。第２ノッチ部４４は、第２ケース体３の左側壁部６２の内側（右側）に設けられる。第２ノッチ部４４は、ヒンジ軸部４１を中心として円弧状に延びている。第１ノッチ部４３と第２ノッチ部４４との係合により、第２ケース体３を、第１ケース体２に対して所定の角度で開いた状態を維持することができる。これにより、第２ケース体３を、第１ケース体２に対して所定の角度で開いた状態でテーブル等の上に収納部材１を自立させることが容易となる。
【００３６】
図１０に示すように、部材本体１０には、第２アンテナ素子としての収納側アンテナ２１が配置される。収納側アンテナ２１は、繰り返し屈曲したクランク形状のクランク部２２と、クランク部２２の端部に連結された第２接続導体２３と、第２接続導体２３に接続される第１接続導体２５と、を有する。クランク部２２は、メインアンテナ１１２と同様に、第１の共振周波数を有する。クランク部２２は、主として、第２ケース体３の前側天板部６１Ｂの内側（下側）に配置される。第２接続導体２３は、第２ケース体３の左側壁部６２の内側（右側）に配置される。第１接続導体２５は、第１ケース体２の左側壁部５２の外側（左側）に配置される。すなわち、本実施形態において、収納側アンテナ２１は、第１ケース体２及び第２ケース体３に跨って配置される。
【００３７】
図１２及び図１３に示すように、第２ケース体３の左側壁部５２の前端部は、上側に向けて延びるように屈曲している。この屈曲した部分に、係合孔部２７が形成されている。連結リング部材１１は、導電性の金属からなるリング状の部材であり、係合孔部２７の内面を覆うように嵌め込まれており、これにより第２ケース体３に固定される。
【００３８】
第２ケース体３の左側壁部６２の内側（右側）には、内側に突出する係合部２９が形成されている。係合部２９は、部材本体１０が閉じた状態において、連結リング部材１１に係合する。係合部２９が連結リング部材１１に係合することにより、第１ケース体２と第２ケース体３との閉状態が保持される。従って、部材本体１０の閉状態が安定し、通信装置１０１を部材本体１０の内部に確実に収納することができる。
【００３９】
また、クランク部２２が第２ケース体３の前側に配置されることにより、ヒンジ部４を中心にして第２ケース体３を回転させて部材本体１０を開状態とすると、クランク部２２は、第１ケース体２側の連結リング部材１１から離れた位置に位置する。これにより、後述するようにクランク部２２は、連結リング部材１１を介して連結された通信装置１０１から離れた状態となり、通信装置１０１に接続されているＰＣ１５１からのノイズの影響が少なくなる。
【００４０】
第２接続導体２３は、第２ケース体３の長手方向に沿って、クランク部２２の端部から左側壁部６２の後端部まで直線的に延びている。第１接続導体２５は、第１ケース体２の長手方向に沿って、左側壁部５２の後端部から連結リング部材１１まで直線的に延びている。第２接続導体２３と第１接続導体２５とは、ヒンジ部４において電気的に接続される。第１接続導体２５は、連結リング部材１１に電気的に接続される。従って、第２接続導体２３及び第１接続導体２５を介して、クランク部２２と連結リング部材１１とが電気的に接続される。図１３に示すように、連結リング部材１１により、第１接続導体２５の前端側及び第１ケース体２の左側壁部５２は、共締めされる。
【００４１】
次に、通信装置１０１側のメインアンテナ１１２と収納部材１側の収納側アンテナ２１との接続及びその解除について説明する。図１４は、通信装置１０１と収納部材１とが連結した状態を示す部分斜視図である。図１５は、通信装置１０１と収納部材１とが連結した状態を示す部分断面図である。図１６は、収納部材１を通信装置１０１から外した状態を示す部分斜視図である。
【００４２】
収納部材１に収納されている通信装置１０１は、収納部材１の内部から取り出されてから、使用される。図７に示すように、アンテナ台１１３に形成されている突出部１４０は、略円柱状に形成されている。突出部１４０の軸方向の長さは、連結リング部材１１の孔部の軸方向の長さと、略同じとなっている。突出部１４０には、接続端子１４１の外部端子部１４７が露出している（図９参照）。このような構成の突出部１４０を、図１４及び図１５に示すように、連結リング部材１１に嵌め込む。これにより、外部端子部１４７が連結リング部材１１の内面に接触し、外部端子部１４７と連結リング部材１１とが電気的に接続される。その結果、外部端子部１４７及び連結リング部材１１を介して、通信装置１０１側のメインアンテナ１１２と、収納部材１側の収納側アンテナ２１とが電気的に接続される。
なお、連結した状態の突出部１４０及び連結リング部材１１に過負荷などが加わったときに、両者の破損を抑制するために、突出部１４０は、柔軟性や弾性を有することが好ましい。
【００４３】
収納側アンテナ２１がメインアンテナ１１２と電気的に接続されることにより、部材本体１０の開状態において、収納側アンテナ２１が、通信装置１０１の外部アンテナとして機能する。このため、アンテナ特性の維持を図ることができ、特に、部材本体１０が開状態では、収納側アンテナ２１のクランク部２２がＰＣ１５１から離れた位置となるため、ＰＣ１５１のノイズの影響が少なくなり、通信装置１０１の通信機能が安定する。
【００４４】
収納側アンテナ２１とメインアンテナ１１２との接続の解除は、図１６に示すように、突出部１４０を連結リング部材１１から取り外すことにより、簡単に行うことができる。この取り外しにより、通信装置１０１が収納部材１から外され、収納部材１への通信装置１０１の収納が可能となる。
【００４５】
図１７（Ａ）〜（Ｃ）は、通信装置１０１と収納部材１との高さ調整を説明する側面図である。図８に示すように、アンテナ台１１３は、装置本体１１１に対する角度の調整が可能となっている。また、図１４及び図１５に示すように、連結リング部材１１には、突出部１４０が嵌合し、突出部１４０を回転軸としてアンテナ台１１３が回転する。このため、ＰＣ１５１の厚さ（通信装置１０１の高さ方向位置）に応じて収納部材１の高さを調整することが可能である。図１７（Ａ）は、厚さが薄いＰＣ１５１の場合、図１７（Ｂ）は、中間の厚さのＰＣ１５１の場合、図１７（Ｃ）は、厚さの厚いＰＣ１５１の場合それぞれにおいて、カードスロット１５２などに通信装置１０１を差し込んだ状態を示す。
【００４６】
ＰＣ１５１の厚さによってカードスロット１５２などの高さ（位置）が異なることが多い。そのため、カードスロット１５２などに接続される通信装置１０１の装置本体１１１の高さも異なることが多い。これに対して、本実施形態の収納部材１によれば、図８及び図１７に示すように、アンテナ台１１３の回転角度を調整することにより、通信装置１０１と収納部材１との高さを調整することができるため、通信装置１０１に接続されている収納部材１を、例えば、テーブルＴ上に安定して設置することが容易となる。このため、収納部材１の設置状態が不安定となりにくく、アンテナ特性を向上させやすい。
【００４７】
図１８（Ａ）及び（Ｂ）は、収納側アンテナの変形例を示す図である。図１８（Ａ）に示す第１の変形例においては、収納側アンテナ２１Ａのクランク部２２Ａは、前後方向に屈曲を繰り返す形状を有する。また、図１８（Ｂ）に示す第２の変形例においては、収納側アンテナ２１Ａのクランク部２２Ａは、前後方向及び左右方向に対して斜め方向に屈曲を繰り返す形状を有する。クランク部の形状や配置は、第２ケース体３の形状やアンテナの使用環境などに応じて変更することができる。
【００４８】
以上の構成を有する本実施形態の収納部材１によれば、例えば、以下の効果が奏される。
本実施形態によれば、通信装置１０１を収納する収納部材１を外部アンテナとして機能させるため、収納部材１とは別に、通信装置１０１とは別体の外部アンテナを用いる必要がない。通信装置１０１と収納部材１とは、セットで持ち運びされるもの（通信装置セット）であるため、外部アンテナを別途持ち運ぶ不便さがなくなると共に、別体の外部アンテナを収納するためのスペースが不要となる。これにより、携帯性や収納性が向上する。つまり、通信装置１０１の使用時には使用されない収納部材１を有効に活用することができる。
【００４９】
本実施形態によれば、通信装置１０１を収納する収納部材１に収納側アンテナ２１を設け、この収納側アンテナ２１を、連結リング部材１１などを介して通信装置１０１のメインアンテナ１１２と電気的に接続可能としている。そのため、通信装置１０１のアンテナ特性の維持や、通信可能範囲の拡大を図ることができる。
【００５０】
また、本実施形態によれば、収納部材１の収納側アンテナ２１を第１ケース体２及び第２ケース体３に跨って設けている。そのため、第１ケース体２及び第２ケース体３の開閉に伴うアンテナ特性の調整が容易に可能である。
【００５１】
また、本実施形態によれば、第２ケース体３に係合部２９を設け、係合部２９を第１ケース体２の連結リング部材１１に係合することで、第１ケース体２及び第２ケース体３の閉状態を保持する。連結リング部材１１は、通信装置１０１のアンテナ台１１３との接続を主目的とする部位であり、通信装置１０１の未使用時には特に必要のない部位である。この通信装置１０１の未使用時には必要のない連結リング部材１１を、通信装置１０１の収納時に有効に活用することができる。従って、第１ケース体２と第２ケース体３との閉状態の保持のための専用の部材が不要となり、部品点数を削減することができる。また、通信装置１０１の収納状態が安定する。
【００５２】
また、本実施形態によれば、突出部１４０を連結リング部材１１に嵌合させることにより、通信装置１０１のメインアンテナ１１２と収納部材１の収納側アンテナ２１とを電気的に接続する。そのため、メインアンテナ１１２と収納側アンテナ２１との接続を簡単に行うことができる。
【００５３】
また、本実施形態によれば、通信装置１０１と収納部材１とが連結した状態において、アンテナ台１１３が回転しても連結リング部材１１の電気的接続状態を保持することができるため、通信装置１０１に対して収納部材１の角度調整を容易に行うことができる。このため、異なる厚さのＰＣ１５１に接続される通信装置１０１と組み合わせて用いたとしても、安定した連結状態とすることができる。
【００５４】
以上、本発明の実施形態について説明したが、本発明は上述した実施形態に制限されるものではない。
例えば、上記実施形態では、第１ケース体２に連結リング部材１１が設けられ、第２ケース体３に係合部２９が設けられているが、その反対に、第２ケース体３に連結リング部材１１が設けられ、第１ケース体２に係合部２９が設けられていてもよい。
上記実施形態では、アンテナ台１１３側に突出部１４０が設けられ、部材本体１０側に突出部１４０が嵌合する孔部（連結リング部材１１）が設けられているが、その反対に、部材本体１０側に突出部が設けられ、アンテナ台１１３側に突出部が嵌合する孔部が設けられていてもよい。
【００５５】
収納側アンテナ２１は、上記実施形態では、第１ケース体２及び第２ケース体３に跨って配置しているが、これに制限されず、第１ケース体２だけに配置してもよい。また、上記実施形態では、第１ケース体２及び第２ケース体３の閉じ状態を連結リング部材１１と係合部２９との係合により行っているが、第１ケース体２及び第２ケース体３にフック等の係合手段を設けることにより、これらの閉状態を保持してもよい。
【００５６】
また、上記実施形態では、貫通孔を形成する連結リング部材１１に突出部１４０を嵌合させているが、これに制限されない。凹部（有底孔）を形成する部材に突出部１４０を嵌合させる構造を採用することもできる。
本発明の収納部材が連結されて使用される通信装置は、ＰＣカードに制限されない。また、本発明は、通信装置１０１と収納部材１とを、１つのセット（通信装置セット）としても把握することが可能である。
【符号の説明】
【００５７】
１  収納部材
２  第１ケース体（第１本体）
３  第２ケース体（第２本体）
１０  部材本体
１１  連結リング部材（連結部）
２１  収納側アンテナ（第２アンテナ素子）
２２  クランク部
２３  第２接続導体
２５  第１接続導体
２９  係合部
１０１  通信装置
１１２  メインアンテナ（第１アンテナ素子）
１１３  アンテナ台
１４０  突出部
１４１  接続端子（第１アンテナ素子）
【図１】
2010199963.tif 000003
【図２】
2010199963.tif 000004
【図３】
2010199963.tif 000005
【図４】
2010199963.tif 000006
【図５】
2010199963.tif 000007
【図６】
2010199963.tif 000008
【図７】
2010199963.tif 000009
【図８】
2010199963.tif 000010
【図９】
2010199963.tif 000011
【図１０】
2010199963.tif 000012
【図１１】
2010199963.tif 000013
【図１２】
2010199963.tif 000014
【図１３】
2010199963.tif 000015
【図１４】
2010199963.tif 000016
【図１５】
2010199963.tif 000017
【図１６】
2010199963.tif 000018
【図１７】
2010199963.tif 000019
【図１８】
2010199963.tif 000020